(57)【要約】      （修正有）【課題】荷崩れすることなく安定して積み重ね可能な羽子板付平板を提供する。【解決手段】土台柱の束材を固定する固定金具２を平板１の上面の中心より外側に立設するとともに、その中心と固定金具２の位置とを結ぶ線を基準にして等分割された角度に位置する側面に固定金具２が嵌合するサイズの切り込み部１１を設ける。安定した状態で荷崩れすることなく積み重ねることができる。その結果、無駄なスペースを減らし積み重ねて梱包、保管、陳列することができる。【選択図】図１
0003183343.tif 000002
【実用新案登録請求の範囲】
【請求項１】
土台柱の束材を固定する固定金具を平板上の中心より外側に立設するとともに、前記中心と前記固定金具の位置とを結ぶ線を基準にして等分割された角度に位置する側面に前記固定金具が嵌合するサイズの切り込み部を設けたことを特徴とする羽子板付平板。
【請求項２】
前記平板は、上面が正方形であることを特徴とする請求項１に記載の羽子板付平板。
【請求項３】
前記平板は、縦断面が台形であることを特徴とする請求項１ないし２のいずれかに記載の羽子板付平板。
【請求項４】
前記固定金具の高さは、前記平板の高さより大であることを特徴とする請求項１ないし３のいずれかに記載の羽子板付平板。
【請求項５】
前記固定金具の高さは、前記平板の高さの３倍以下であることを特徴とする請求項２ないし４のいずれかに記載の羽子板付平板。
【考案の詳細な説明】
【技術分野】
【０００１】
本考案は、ウッドデッキなどの基礎として置く束材（木材など）を固定する羽子板付平板に関する。
【背景技術】
【０００２】
物置や車庫、ウッドデッキなどの基礎には、土台柱（束材）として木材が用いられる。しかし、木材をそのまま地面に設置すると、土や虫、雨水の影響を受けて腐ってしまったり、不安定になるという問題がある。そこで、基礎として置く土台柱などの木材（束材）を固定し、直接地面に接しないようにするものとして沓石が用いられている（例えば、特許文献１参照）。
【０００３】
あるウッドデッキでは、例えば特許文献１に開示されているように地面に基礎石（沓石、平板のブロック）を配置し、その基礎石の上に束材を固定する。各束材は、各基礎石に対して、Ｌ字板状の固定金具を用いてネジにより固定される。
【０００４】
沓石には、羽子板付沓石、羽子板なし沓石などがあり、ブロックには軽量ブロック、重量ブロックなどがある。羽子板付沓石、羽子板付平板は、沓石、平板の上面に予め羽子板状の金具（固定金具）を立設し、その金物に土台柱となる束材（木材）を固定するようにしたものである。
【先行技術文献】
【特許文献】
【０００５】
【特許文献１】特開２０１２−１５４１４５号公報
【考案の概要】
【考案が解決しようとする課題】
【０００６】
羽子板付沓石は、羽子板状の固定金具が沓石、平板の上面に立設しているため、商品として梱包したり、保管したり、陳列したりする場合に、積み重ねることができない。そのため、並べて梱包、保管、陳列することになり、それだけスペースが必要になリ、無駄なスペースが多くなるという問題がある。
【０００７】
本考案は、上記課題を解決するものであって、荷崩れすることなく安定して積み重ねることが可能な羽子板付平板を提供し、無駄なスペースを減らして積み重ね梱包、保管、陳列することができるようにするものである。
【課題を解決するための手段】
【０００８】
そのために本考案に係る羽子板付平板は、土台柱の束材を固定する固定金具を平板上の中心より外側に立設するとともに、前記中心と前記固定金具の位置とを結ぶ線を基準にして等分割された角度に位置する側面に前記固定金具が嵌合するサイズの切り込み部を設けたことを特徴とする。
【０００９】
前記平板は、上面が正方形であり、また、縦断面が台形であることを特徴とし、前記固定金具の高さは、前記平板の高さより大であり、前記平板の高さの３倍以下であることを特徴とする。
【考案の効果】
【００１０】
本考案によれば、等分割された角度で回転させて積み重ねると、下の段の固定金具が切
り込み部に嵌合するので、固定金具が邪魔にならず積み重ねることができ、安定した状態で荷崩れすることなく積み重ねることができる。その結果、無駄なスペースを減らして積み重ね保管、陳列、箱に梱包することができる。
【図面の簡単な説明】
【００１１】
【図１】本考案に係る羽子板付平板の実施形態を説明する図である。
【図２】本実施形態の羽子板付平板の積み重ねを説明する図である。
【図３】本実施形態の平板の高さと固定金具の高さの関係に応じた積み重ね形態を説明する図である。
【考案を実施するための形態】
【００１２】
以下、本考案の実施形態を図面を参照しつつ説明する。図１は本考案に係る羽子板付平板の実施形態を説明する図、図２は本実施形態の羽子板付平板の積み重ね状態を説明する図である。図中、１、１Ａ、１Ｂは平板、２、２Ａ、２Ｂは固定金具、３は束材、１１は切り込み部、２１は固定孔、Ｈは平板の高さ、ｗは固定金具の幅、ｄは平板の側面から固定金具の立設位置までの長さ、ｗ′は切り込み部の長さ、ｄ′は切り込み部の深さを示す。
【００１３】
図１において、羽子板付平板は、ウッドデッキなどの簡易的な構造物の土台とし、木材と土との接触を防ぎ、安定性を確保するものであり、例えばコンクリートの平板１に固定金具２を埋め込み立設したものである。
【００１４】
平板１は、高さ数cm〜１０数cm、数１０cm□の、例えばコンクリート製のブロックからなり、正方形の１辺の内側に固定金具２を埋め込み立設し、他の３つの辺の側面それぞれに切り込むように切り込み部１１を設けたものである。
【００１５】
固定金具２は、例えばＬ字板状の金具、羽子板状の金具、その他土台柱の束材（木材）を固定する金具であり、ネジで束材を固定する固定孔２１を有する。この固定金具２は、図示のように平板１の側面から固定金具２の立設位置までの距離ｄだけ中心Ｏの方向に寄った上面の位置に埋め込み立設され、幅ｗを有する。
【００１６】
切り込み部１１は、複数の羽子板付平板を積み重ねたときに下段の固定金具２が嵌合するサイズを有する。そのため、切り込み部１１は、平板１の側面に沿った方向の切り込み部の長さｗ′が固定金具２の幅ｗより大きく、側面から中心Ｏの方向への深さｄ′が平板１の側面から固定金具２の立設位置までの距離ｄより大きい切り込みを側面に形成している。
【００１７】
このように本実施形態の羽子板付平板は、土台柱の束材を固定する固定金具２を平板１の上面の中心Ｏより外側に立設するとともに、その中心Ｏと固定金具２の位置とを結ぶ線を基準にして等分割された角度に位置する側面に固定金具２が嵌合するサイズの切り込み部１１を設けたものである。
【００１８】
下段の固定金具２が嵌合するサイズで平板１の３辺の側面に切り込み部１１を設けることにより、図２に示すように９０°単位で回転角度を変えることで、羽子板付平板を複数段に積み重ねることができる。図２（ａ）は上面図であり、固定金具２に固定される束材３と、複数段に積み重ねられる他の固定金具２Ａ、２Ｂを示している。
【００１９】
図２（ｂ）は図２（ａ）の右側面図を、図２（ｃ）は図２（ａ）の正面図をそれぞれ示し、平板１の下の段に平板１Ｂを、平板１の上の段に平板１Ａを積み重ねた状態を示している。図２においては、平板１の高さＨに対し、固定金具２の高さαＨを２＜α≦３にし
たものであり、平板１に対し、平板１Ａは反時計方向に９０°回転させ上段に、平板１Ｂは時計方向に９０°回転させて下段に積み重ねた状態である。
【００２０】
このように積み重ねた状態において、平板１Ａは、平板１の固定金具２と平板１Ｂの固定金具２Ｂが切り込み部１１に嵌合して積み重ねられる。３段目の上にさらに時計方向に９０°回転させて４段目を積み重ねることができる。このとき下の３段のそれぞれの固定金具２が切り込み部１１に嵌合するので、安定した状態を維持することができる。
【００２１】
図３は本実施形態の平板の高さと固定金具の高さの関係に応じた積み重ね形態を説明する図であり、図中、１−１、……、１−６は平板、２−１、……、２−６は固定金具をそれぞれ示す。
【００２２】
図３（ａ）は、図２と同様、平板１−１、……、１−５の高さＨに対し、固定金具２−１、……、２−５の高さαＨを２＜α≦３にし、平板１−１、……、１−５を時計方向に順次１８０°→９０°→１８０°→……回転させて積み重ねる形態を示している。これに対し、図３（ｂ）は、固定金具２−１、……、２−６の高さαＨを２＜α≦３にして、平板１−１、……、１−６を時計方向に順次１８０°→９０°→１８０°→……回転させ４段積み重ねるごとに平板の上面と下面を逆向きにする形態を示している。
【００２３】
図３（ｂ）に示す積み重ね形態にすると、平板の上面を下方に向けて積み重ねる場合に図示のように固定金具２−１と２−５、２−２と２−６が上と下で重なるため、固定金具２−１、……、２−６の厚さだけ平板１−１、……、１−６の中心がずれることになる。したがって、固定金具２−１、……、２−６が嵌合する切り込み部１１のサイズとして、切り込み部１１の長さｗ′は、少なくとも固定金具２の厚さの２倍プラスある程度の余裕分は固定金具２の幅ｗより大きくなければならない。
【００２４】
図３（ｃ）は、平板１−１、……、１−６の高さＨに対し、固定金具２−１、……、２−６の高さαＨを１＜α＜１．５にし、図３（ｂ）と同様に平板１−１、……、１−６を時計方向に順次１８０°→９０°→１８０°→……回転させ４段積み重ねるごとに平板の上面と下面を逆向きにする形態を示している。しかし、この形態では、図示のように固定金具２−１と２−５、２−２と２−６が上向きと下向きでも重なることなく、平板１−１、……、１−６の中心を揃えて積み重ねることができる。また、４段目より上の段、少なくとも最上段を下向きに積み重ねるようにすると、段数に関係なく、上面から固定金具が突き出ることなく積み重ねることができる。
【００２５】
図３（ｄ）は、固定金具２−１、……、２−４の高さαＨを３＜αにし、平板１−１、……、１−４を時計方向に順次１８０°→９０°→１８０°→９０°回転させて積み重ねる形態を示している。この場合には、４段まで平板１−１、……、１−４を積み重ねた状態でその上面にそれぞれの固定金具２−１、……、２−４が４つ突き出してしまう。そのため、次の５段目の平板１−５を積み重ねることができない。この状態からさらに積み重ねを可能にするには、固定金具２−１、……、２−４を立設する側面にも切り込み部を設けるとともに、固定金具２−１、……、２−４が嵌合する切り込み部を固定金具２−１、……、２−４の厚み分さらに深くしなければならない。
【００２６】
上記のように、本実施形態において、安定した積み重ね状態を実現するには、固定金具２の立設高さαＨを少なくとも平板１の高さＨより大きくする（１＜α）ことが望ましい。つまり、羽子板付平板を２段に積み重ねたときに下側の羽子板付平板の固定金具２の上端が上の段の羽子板付平板の上面から突き出る高さにすることである。その結果、３段目から２つの切り込み部に下方の固定金具２が嵌合するので、安定性がよくなる。
【００２７】
しかし、平板の高さＨが大きいものである場合には、固定金具２−１、……、２−４の高さαＨが平板１−１、……、１−４の高さＨより小さいα≦１になるものもある。この場合、平板１−１の固定金具２−１は、１段上の平板１−２の切り込み部にしか嵌合しないので、切り込み部は、少なくとも１カ所あればよい。例えば固定金具２−１を立設した側面と反対側の側面に切り込み部を設けるだけでもよい。つまり、４角形（正方形）の平板の上面を４等分に角度分割した先の実施形態に対し、その半分の２等分に分割して固定金具を立設するとともに、その反対の側面に切り込み部を設け、２段に積み重ねたとき固定金具が１つしか切り込み部に嵌合しない状態になるので、固定金具が２つ以上嵌合する先の実施形態よりも安定性は低下する。しかし、他の実施形態と同様に積み重ねることは可能である。
【００２８】
また、羽子板付平板を４段に積み重ねたときに最下段の羽子板付平板の固定金具２の上端が４段目の羽子板付平板の上面から突き出ると、５段以上の積み重ねができなくなる。それは、固定金具２の立設高さαＨが平板１の高さＨの３倍を越え、３＜αとなる場合である。このことから段数の制限がなく積み重ねることができるようにするには、固定金具２の立設高さαＨを平板１の高さＨの３倍以下にすること（α≦３）が望ましい。このようにすると、荷崩れすることなく安定した状態で羽子板付平板を積み重ねることができ、無駄なスペースを減らして保管、陳列、箱に梱包することができる。
【００２９】
本考案は、上記の実施形態だけでなく、種々の変形が可能である。例えば上記実施形態では、上面が正方形のコンクリートのブロックからなる平板に固定金具を立設し、３方の側面に切り込み部を設けたものであるが、上面を正６角形、その他の正多角形の形状や円板形状にしてもよい。
【００３０】
例えば正６角形の場合、固定金具の立設位置から６等分の角度に分割した５つ、その半分の３等分に分割した２つ、あるいは２等分に分割した１つの位置の側面に切り込み部を設ける形態がある。このときそれぞれにおける固定金具２の立設高さαＨは、平板１の高さＨの５倍以下、２倍以下、Ｈ以下、つまり、ｎ分割に対して（ｎ−１）以下（切り込み部の数以下）にすることが望ましい。
【００３１】
いずれの場合にも、羽子板付平板は、土台柱の束材を固定する固定金具を平板上の中心より外側に立設するとともに、中心と固定金具の位置とを結ぶ線を基準にして等分割された角度に位置する側面に切り込み部が設けられる。切り込み部は、その角度ごとに回転して羽子板付平板を積み重ねるときに、下段の平板に立設された固定金具に嵌合するサイズを有するものである。つまり、３６０°を等分割した各位置のうち、１カ所には固定金具が立設され、残りの位置には切り込み部が設けられる。
【００３２】
また、固定金具を立設した外側の側面には、切り込み部を設けていないが、切り込み部を設け、その底部に固定金具を固定するように構成してもよい。平板は、正多角形や円形の上面形状に対し垂直な断面にしているが、断面の形状を台形にしてもよいし、各角は面取りを行うようにしてもよいことはいうまでもない。また、平板は、コンクリートだけでなく、鋳物、レンガ、セラミックなどでもよい。
【符号の説明】
【００３３】
１、１Ａ、１Ｂ、１−１、……、１−６…平板、２、２Ａ、２Ｂ、２−１、……、２−６…固定金具、３…束材、１１…切り込み部、２１…固定孔、Ｈ…平板の高さ、ｗ…固定金具の幅、ｄ…平板の側面から固定金具の立設位置までの長さ、ｗ′…切り込み部の長さ、ｄ′…切り込み部の深さ
【図１】
0003183343.tif 000003
【図２】
0003183343.tif 000004
【図３】
0003183343.tif 000005